(57)【要約】      （修正有）【課題】調光器制御回路、方法及びシステムを提供する。【解決手段】調光制御回路２００は、調光器の電圧出力端に結合され、調光器の出力電圧を整流し整流電圧を出力するよう構成される整流回路と、入力端が整流回路に結合され、整流電圧に応じて検出電圧を出力するよう構成される入力電圧検出回路と、入力端が入力電圧検出回路の出力端に結合され、検出電圧が所定の条件を満たす場合に制御信号を出力するよう構成されるプロセッサーと、制御端がプロセッサーの出力端に結合され、出力端が整流回路に結合され、制御信号に応答し、所定の電流を整流回路に出力し又は所定の電流の整流回路への出力を停止するよう構成される定電流回路と、を含む。所定の電流の電流値は調光器の保持電流より大きい。調光器に補償電流を供給することで、調光器の異常オフを防止することができ、且つ、調光器のオン瞬間に光源が点滅していることを回避することができる。【選択図】図２
2019169461.tif 000002
【特許請求の範囲】
【請求項１】
調光器制御回路であって、
調光器の電圧出力端に結合され、調光器の出力電圧を整流し整流電圧を出力するように構成される整流回路と、
前記整流回路に結合された入力端を有し、前記整流電圧に応じて検出電圧を出力するように構成される入力電圧検出回路と、
前記入力電圧検出回路の出力端に結合された入力端を有し、前記検出電圧が所定の条件を満たす場合に制御信号を出力するように構成されるプロセッサーと、
前記プロセッサーの出力端に結合された制御端と、前記整流回路に結合された出力端とを有し、前記制御信号に応答し、所定の電流を前記整流回路に出力するように又は所定の電流の前記整流回路への出力を停止するように構成される定電流回路と、を含み、
前記所定の電流の電流値が調光器の保持電流より大きい、
調光器制御回路。
【請求項２】
前記整流回路は、第１ダイオード及び第２ダイオードを含み、
前記第１ダイオードは、アノードが前記調光器の電圧出力端の第１端に結合され、カソードが第１ノードに結合され、
前記第２ダイオードは、アノードが前記調光器の電圧出力端の第２端に結合され、カソードが前記第１ノードに結合される、
請求項１に記載の調光器制御回路。
【請求項３】
前記入力電圧検出回路は、第１抵抗及び第２抵抗を含み、
前記第１抵抗は、一端が前記第１ノードに結合され、他端が前記入力電圧検出回路の出力端に結合され、
前記第２抵抗は、一端が前記入力電圧検出回路の出力端に結合され、他端が接地されている、
請求項２に記載の調光器制御回路。
【請求項４】
前記定電流回路は、第１スイッチ素子、第３抵抗、第２スイッチ素子、第４抵抗及びツェナーダイオードを含み、
前記第１スイッチ素子は、前記第１ノードに結合された第１端、第２ノードに結合された第２端、及び第３ノードに結合された制御端を有し、
前記第３抵抗は、一端が前記第２ノードに結合され、他端が接地され、
前記第２スイッチ素子は、前記第３ノードに結合された第１端、接地された第２端、及び前記プロセッサーの出力端に結合された制御端を有し、
前記第４抵抗は、一端が直流電圧源に結合され、他端が前記第３ノードに結合され、
前記ツェナーダイオードは、カソードが前記第３ノードに結合され、アノードが接地されている、
請求項２に記載の調光器制御回路。
【請求項５】
前記所定の条件は、前記検出電圧の変化速度が第１所定値より大きいことを含む、
請求項１に記載の調光器制御回路。
【請求項６】
前記所定の条件は、前記検出電圧の電圧値が第２所定値より小さいことを含む、
請求項１に記載の調光器制御回路。
【請求項７】
前記プロセッサーは、検出電圧取得モジュール、条件判断モジュール及び制御信号送信モジュールを含み、
前記検出電圧取得モジュールは、所定の周期に従って前記検出電圧を取得するように構成され、
前記条件判断モジュールは、前記検出電圧が前記所定の条件を満たすかどうかを判断するように構成され、
前記制御信号送信モジュールは、前記検出電圧が前記所定の条件を満たす場合に第１制御信号を送信し、前記検出電圧が前記所定の条件を満たさない場合に第２制御信号を送信するように構成される、
請求項１〜６のいずれか１項に記載の調光器制御回路。
【請求項８】
前記定電流回路は、前記第１制御信号に応じて所定の電流を出力し、前記第２制御信号に応じて所定の電流の出力を停止する、
請求項７に記載の調光器制御回路。
【請求項９】
調光器保持電流制御方法であって、
所定の周期に従って調光器の出力電圧を検出することと、
前記調光器の出力電圧が所定の条件を満たす場合に、前記調光器に保持電流の補償電流を供給することと、
前記調光器の出力電圧が前記所定の条件を満たさない場合に前記補償電流の供給を停止することと、を含む、
調光器保持電流制御方法。
【請求項１０】
前記所定の条件は、前記調光器の出力電圧の変化速度が第１所定値より大きいことを含む、
請求項９に記載の調光器保持電流制御方法。
【請求項１１】
前記所定の条件は、前記調光器の出力電圧の電圧値が第２所定値より小さいことを含む、
請求項９に記載の調光器保持電流制御方法。
【請求項１２】
前記補償電流が定電流であり、前記定電流が前記保持電流より大きい、
請求項９〜１１のいずれか１項に記載の調光器保持電流制御方法。
【請求項１３】
調光器保持電流制御システムであって、
第１出力端及び第２出力端を有する交流電源と、
一端が前記交流電源の第１出力端に結合され、他端が出力電圧ノードに結合される調光器と、
カソードが前記出力電圧ノードに結合され、アノードが接地されているブリッジ整流ダイオードと、
第１入力端、第２入力端、第１出力端及び第２出力端を有し、前記第１入力端が前記出力電圧ノードに結合される照明制御電源と、
少なくとも１つの光源を含み、前記照明制御電源の前記第１出力端及び前記第２出力端に結合される照明モジュールと、
前記出力電圧ノードとグランドとの間に結合され、前記調光器の出力電圧が所定の条件を満たす場合に前記調光器に補償電流を供給し、前記調光器の出力電圧が前記所定の条件  を満たさない場合に前記補償電流の供給を停止するように構成される調光器制御回路と、を含む、
調光器保持電流制御システム。
【請求項１４】
前記所定の条件は、前記調光器の出力電圧の変化速度が第１所定値より大きいことを含む、
請求項１３に記載の調光器保持電流制御システム。
【請求項１５】
前記所定の条件は、前記調光器の出力電圧の電圧値が第２所定値より小さいことを含む、
請求項１３に記載の調光器保持電流制御システム。
【請求項１６】
前記補償電流が定電流であり、前記定電流が前記調光器の保持電流より大きい、
請求項１３に記載の調光器保持電流制御システム。
【請求項１７】
前記照明制御電源は、整流回路及び直流―直流変換回路を含む、
請求項１３に記載の調光器保持電流制御システム。
【請求項１８】
前記調光器は、フロント位相角調光器又はリア位相角調光器である、
請求項１３〜１７のいずれか１項に記載の調光器保持電流制御システム。
【発明の詳細な説明】
【技術分野】
【０００１】
本開示は、電源回路技術分野に関し、具体的には、調光器の保持電流に補償電流を供給することができる調光器制御回路、方法及びシステムに関する。
【背景技術】
【０００２】
ＬＥＤ技術の発展に伴い、照明分野に応用される調光器制御回路も改良されている。調光器をＬＥＤ電源と協力して動作させるために、ＬＥＤ電源の動作電流が調光器の保持電流より大きいことを保証する必要がある。
【０００３】
図１は従来技術における調光器制御回路の回路図である。図１を参照し、入力された交流をダイオードＤ１、Ｄ２で整流して全波電圧を取得し、当該全波電圧が抵抗Ｒ３を介して電界効果トランジスタＱ１のゲートに伝送し電界効果トランジスタＱ１をオンし、限流抵抗Ｒ１、電界効果トランジスタＱ１及び限流抵抗Ｒ２を介して接地し、さらに、調光電源のブリッジ整流器ＤＢ１を介して交流の入力端に戻り、１つの回路が形成され、調光電源の入力端の前に接続される調光器がオンしていることを維持するための保持電流が発生する。当該保持電流が限流抵抗Ｒ２を通して流れる際に電圧降下が発生し、当該電圧降下が一定値となると、ダイオードＤ３を介してトランジスタＱ２のベースに印加し、Ｑ２をオンし、Ｑ１をオフする。この時、限流抵抗Ｒ２を通して流れる電流が小さくなり、Ｒ２上の電圧降下が小さくなり、この後、トランジスタＱ２がオフしてから、復元して再びオンする。このように繰り返し、限流抵抗Ｒ２、電界効果トランジスタＱ１、限流抵抗Ｒ１を通して流れる電流により、１つの安定した電流値を有する電流回路が形成され、この電流回路は、調光器に安定した保持電流を供給する。
【０００４】
しかしながら、全波電圧がサンプリング抵抗Ｒ４、Ｒ５により分圧され、サンプリング抵抗Ｒ５の両端がトランジスタＱ２のベース及びエミッタにそれぞれ結合されるため、Ｒ５上の電圧がトランジスタＱ２のオン電圧に達した場合、Ｑ２がオンし、Ｑ１がオフし、そこで、全波電圧が高い電圧範囲にあり、即ち、調光器のオン電圧が設定された電圧より高い場合、Ｑ１がオンされず、回路に電流が形成されない。この時、調光器のオン瞬間に１つの瞬間変化の大きい電圧が発生し、入力電流に１つのリンギングが発生し、リンギングにより、最小電流が調光器の最小保持電流よりも小さく、この場合、調光器がオンしてからすぐにオフし、光源が点滅していることを引き起こす。
【０００５】
なお、上記の背景技術に開示される情報は、本開示の背景の理解を容易にするためのものであるため、当業者に開示しない従来技術を構成しない情報が含まれることができる。
【発明の概要】
【０００６】
本開示は、従来技術において調光器のオン瞬間に光源が点滅しているという課題を解決するために、調光器の保持電流に補償電流を供給することができる調光器制御回路、方法及びシステムを提供することを目的とする。
【０００７】
本開示の第１形態は、調光器制御回路を供給し、
調光器の電圧出力端に結合され、調光器の出力電圧を整流し整流電圧を出力するように構成される整流回路と、
入力端及び出力端を有し、前記入力端が前記整流回路に結合され、前記整流電圧に応じて検出電圧を出力するように構成される入力電圧検出回路と、
入力端及び出力端を有し、前記入力端が前記入力電圧検出回路の出力端に結合され、前記検出電圧が所定の条件を満たす場合に制御信号を出力するように構成されるプロセッサーと、
制御端及び出力端を有し、前記制御端が前記プロセッサーの出力端に結合され、前記出力端が前記整流回路に結合され、前記制御信号に応答し、所定の電流を前記整流回路に出力し又は所定の電流の前記整流回路への出力を停止するように構成される定電流回路と、  を含み、
ここで、前記所定の電流の電流値が調光器の保持電流より大きい。
【０００８】
本開示の例示的な実施例において、前記整流回路は、第１ダイオード及び第２ダイオードを含み、
前記第１ダイオードは、アノードが前記調光器の電圧出力端の第１端に結合され、カソードが第１ノードに結合され、
前記第２ダイオードは、アノード前記調光器の電圧出力端の第２端に結合され、カソードが前記第１ノードに結合される。
【０００９】
本開示の例示的な実施例において、前記入力電圧検出回路は、第１抵抗及び第２抵抗を含み、
前記第１抵抗は、一端が前記第１ノードに結合され、他端が前記入力電圧検出回路の出力端に結合され、
前記第２抵抗は、一端が前記入力電圧検出回路の出力端に結合され、他端が接地されている。
【００１０】
本開示の例示的な実施例において、前記定電流回路は、第１スイッチ素子、第３抵抗、第２スイッチ素子、第４抵抗及びツェナーダイオードを含み、
前記第１スイッチ素子は、第１端、第２端及び制御端を有し、前記第１端が前記第１ノードに結合され、前記第２端が第２ノードに結合され、前記制御端が第３ノードに結合され、
前記第３抵抗は、一端が前記第２ノードに結合され、他端が接地され、
前記第２スイッチ素子は、第１端、第２端及び制御端を有し、前記第１端が前記第３ノードに結合され、前記第２端が接地され、前記制御端が前記プロセッサーの出力端に結合され、
前記第４抵抗は、一端が直流電圧源に結合され、他端が前記第３ノードに結合され、
前記ツェナーダイオードは、カソードが前記第３ノードに結合され、アノードが接地されている。
【００１１】
本開示の例示的な実施例において、前記所定の条件は、前記検出電圧の変化速度が第１所定値より大きいことを含む。
【００１２】
本開示の例示的な実施例において、前記所定の条件は、前記検出電圧の電圧値が第２所定値より小さいことを含む。
【００１３】
本開示の例示的な実施例において、前記プロセッサーは、検出電圧取得モジュール、条件判断モジュール及び制御信号送信モジュールを含み、
前記検出電圧取得モジュールは、所定の周期に従って前記検出電圧を取得するように構成され、
条件判断モジュールは、前記検出電圧が前記所定の条件を満たすかどうかを判断するように構成され、
制御信号送信モジュールは、前記検出電圧が前記所定の条件を満たす場合に第１制御信号を送信し、前記検出電圧が前記所定の条件を満たさない場合に第２制御信号を送信するように構成される。
【００１４】
本開示の例示的な実施例において、前記定電流回路は、前記第１制御信号に応じて所定の電流を出力し、前記第２制御信号に応じて所定の電流の出力を停止する。
【００１５】
本開示の第２形態は、調光器保持電流制御方法を提供し、
所定の周期に従って調光器の出力電圧を検出することと、
前記調光器の出力電圧が所定の条件を満たす場合に前記調光器に保持電流の補償電流を供給することと、
前記調光器の出力電圧が前記所定の条件を満たさない場合に前記補償電流の供給を停止することと、を含む。
【００１６】
本開示の例示的な実施例において、前記所定の条件は、前記調光器の出力電圧の変化速度が第１所定値より大きいことを含む。
【００１７】
本開示の例示的な実施例において、前記所定の条件は、前記調光器の出力電圧の電圧値が第２所定値より小さいことを含む。
【００１８】
本開示の例示的な実施例において、前記補償電流が定電流であり、前記定電流が前記保持電流により大きい。
【００１９】
本開示の第３形態は、調光器保持電流制御システムを提供し、
第１出力端及び第２出力端を有する交流電源と、
一端が前記交流電源の第１出力端に結合され、他端が出力電圧ノードに結合される調光器と、
カソードが前記出力電圧ノードに結合され、アノードが接地されているブリッジ整流ダイオードと、
第１入力端、第２入力端、第１出力端及び第２出力端を有し、前記第１入力端が前記出力電圧ノードに結合される照明制御電源と、
少なくとも１つの光源を含み、前記照明制御電源の前記第１出力端及び前記第２出力端に結合される照明モジュールと、
前記出力電圧ノードとグランドとの間に結合され、前記調光器の出力電圧が所定の条件を満たす場合に前記調光器に補償電流を供給し、前記調光器の出力電圧が前記所定の条件を満たさない場合に前記補償電流の供給を停止するように構成される調光器制御回路と、を含む。
【００２０】
本開示の例示的な実施例において、前記所定の条件は、前記調光器の出力電圧の変化速度が第１所定値より大きいことを含む。
【００２１】
本開示の例示的な実施例において、前記所定の条件は、前記調光器の出力電圧の電圧値が第２所定値より小さいことを含む。
【００２２】
本開示の例示的な実施例において、前記補償電流が定電流であり、前記定電流が前記調光器の保持電流より大きい。
【００２３】
本開示の例示的な実施例において、前記照明制御電源は、整流回路及び直流―直流変換回路を含む。
【００２４】
本開示の例示的な実施例において、前記調光器は、フロント位相角調光器又はリア位相角調光器である。
【００２５】
本開示の実施例は、調光器の出力電圧を検出し、調光器の出力電圧に異常動作が発生した場合に調光器の保持電流に補償電流を供給することで、従来技術において調光器のオン瞬間に光源が点滅しているという課題を解決し、調光器を安定に動作させることができる。
【００２６】
なお、以上の記載や以下の記載は、例示や解釈的なものであるが、本開示を限定するものではない。
【図面の簡単な説明】
【００２７】
【図１】従来技術における調光器制御回路の回路図である。
【図２】本開示の実施例におけるＬＥＤ調光システムの第１の図である。
【図３】本開示の実施例におけるＬＥＤ調光システムの第２の図である。
【図４】本開示の実施例におけるプロセッサーの図である。
【図５】本開示の実施例における調光器制御回路がフロント位相調光器（フロント位相角調光器）に応用される原理の図である。
【図６】本開示の実施例における調光器制御回路がフロント位相調光器（フロント位相角調光器）に応用される原理の図である。
【図７】本開示の実施例における調光器制御回路がフロント位相調光器（フロント位相角調光器）に応用される原理の図である。
【図８】リア位相調光器（リア位相角調光器）の動作原理の図である。
【図９】本開示の実施例における調光器制御回路がリア位相調光器に応用される原理の図である。
【図１０】本開示の実施例における調光器制御方法のフローチャートである。
【図１１】本開示の１つの実施例における調光器制御方法のフローチャートである。
【発明を実施するための形態】
【００２８】
本願の図面は、明細書の一部として明細書に組み込まれており、本開示に適合する実施例を示し、明細書とともに本開示の原理を解釈するために用いられる。以下の記載において、図面は、本開示のいくつかの実施例を示すに過ぎず、当業者は、発明的努力を発揮することなく、これらの図面に基づいて他の図面を得ることは明らかである。
【００２９】
以下、図面を参照し、例示的な実施の形態をより全面的に説明する。なお、例示的な実施の形態は、様々な形態により実施されることが可能であり、かつ、これらの例に限定すると理解すべきでなく、逆に、これらの実施の形態を提供することで本開示はより全面的且つ完全に理解され、例示的な実施の形態の思想を当業者に十分に伝達することが可能である。記載されている特徴、構成、又は特性は、いかなる適当な方式でも１つ以上の実施の形態に組み入れることができる。以下の記載において、多くの細部を提供することで本開示の実施の形態はより良く理解される。なお、当業者は、本開示の技術案を実施する際に、１つ以上の特定の細部を省略し、又は他の方法、部品、装置、ステップ等を利用することができることを認識すべきである。その他の場合、本開示の各形態に影響を与えて不明りょうにならないように、既知の技術案を詳しく図示及び説明しない。
【００３０】
なお、図面は、本開示の例示的なのものであり、図中同じ図面記号が同じ又は類似の部分を示すために用いられることがあるが、これらに対する重複する説明は省略される。図面に示すいくつかのブロック図は、機能的エンティティであり、物理的又は論理的に分離したエンティティに必ずしも対応する必要がない。ソフトウェア形態によりこれらの機能的エンティティを実現し、又は１つ以上のハードウェアモジュールや集積回路においてこれらの機能的エンティティを実現し、又は異なるネットワーク及び／又はプロセッサー装置及び／又はマイクロコントローラ装置においてこれらの機能的エンティティを実現することができる。
【００３１】
以下、図面を参照しつつ、本開示の例示的な実施の形態を詳しく説明する。
【００３２】
図２を参照し、ＬＥＤ調光システムには、調光電源回路２０１及び調光制御回路２００が含まれる。調光電源回路２０１は、調光器２０を含み、ＬＥＤライトに電力を供給し、且つ調光器２０に応じてＬＥＤライトの明るさを調節する。調光制御回路２００は、調光電源回路２０１に接続され、調光器２０の出力電圧が所定の条件を満たす場合に調光器２０に補償電流を供給するように構成される。
【００３３】
本開示の１つの実施例において、調光電源回路２０１は、交流電源ＶＡＣ、調光器２０、ブリッジ整流回路ＢＤ及び照明制御電源を含む。ここで、交流電源が第１出力端及び第２出力端を有し、調光器２０が交流電源ＶＡＣの第１出力端に結合され、ブリッジ整流回路ＢＤのカソードが調光器２０の電圧出力端に結合され、アノードが接地されている。照明制御電源は、調光器２０の電圧出力端に結合され、かつ出力端がＬＥＤライトストリングに結合される。本開示の例示的な実施例において、照明制御電源は、直流―直流変換回路を含むが、これに限定されない。
【００３４】
本開示の１つの実施例において、調光制御回路２００は、整流モジュール２１、入力電圧検出モジュール２２、プロセッサー２３及び定電流回路２４を含み、調光器の出力電圧が所定の条件を満たす場合に調光器２０に補償電流を供給し、調光器２０の出力電圧が所定の条件を満たさない場合に補償電流の供給を停止する。本開示の例示的な実施例において、所定の条件は、調光器の出力電圧の変化速度が第１所定値より大きいこと、又は電圧値が第２所定値より小さいことを含む。
【００３５】
ここで、整流回路２１は、調光器２０の電圧出力端に結合され、調光器２０の出力電圧を整流し整流電圧を出力するように構成される。
【００３６】
入力電圧検出回路２２は、入力端が整流回路２１に結合されており、整流電圧に応じて検出電圧を出力するように構成される。
【００３７】
プロセッサー２３は、入力端が入力電圧検出回路２２の出力端に結合されており、検出電圧が所定の条件を満たす場合に制御信号を出力するように構成される。
【００３８】
定電流回路２４は、制御端がプロセッサー２３の出力端に結合され、出力端が整流回路２１に結合されており、制御信号に応答し、所定の電流を整流回路２１に出力し又は所定の電流の出力を停止するように構成される。
【００３９】
ここで、所定の電流の電流値が調光器の保持電流より大きい。
【００４０】
本開示の例示的な実施例において、調光器は、フロント位相角調光器又はリア位相角調光器である。
【００４１】
本開示の実施例による調光器制御回路は、調光器の出力電圧に異常変化が発生した場合、調光器に対しその保持電流より大きい補償電流を供給することで、調光器のオフからオンになる過程において発生した振動電流により調光器がオフすることを有効に回避し、調光器のオン過程において光源が点滅していることを防止することができる。
【００４２】
図３を参照し、本開示の１つの例示的な実施例において、整流回路２１は、第１ダイオードＤ１及び第２ダイオードＤ２を含んでもよい。
【００４３】
第１ダイオードＤ１は、アノードが調光器の電圧出力端の第１端に結合され、カソードが第１ノードＮ１に結合される。
【００４４】
第２ダイオードＤ２は、アノードが調光器の電圧出力端の第２端に結合され、カソードが第１ノードＮ１に結合される。
【００４５】
Ｄ１及びＤ２からなる整流回路は、調光器２０の出力電圧Ｖ１を整流し、整流電圧ＶＮ１を得る。
【００４６】
入力電圧検出回路２２は、第１抵抗Ｒ１及び第２抵抗Ｒ２を含んでもよい。
【００４７】
第１抵抗Ｒ１は、一端が第１ノードＮ１に結合され、他端が入力電圧検出回路２２の出力端ＯＵＴに結合される。
【００４８】
第２抵抗Ｒ２は、一端が入力電圧検出回路の出力端ＯＵＴに結合され、他端が接地されている。
【００４９】
入力電圧検出回路２２は、Ｒ１とＲ２の比例を設定して、整流電圧ＶＮ１を一様な比に従って小さくして、プロセッサー２３に伝送する可能な検出電圧Ｖ２を得る。ここで、
Ｖ２＝ａ＊ＶＮ１                              （１）
ａが入力電圧検出回路２２の検出係数である。
【００５０】
いつくかの実施例において、入力電圧検出回路２２は、出力端ＯＵＴとグランドとの間にフィルタコンデンサＣ１を配置してもよい。
【００５１】
図３に示す入力電圧検出回路が１つの実施例であり、当業者は、本実施例の原理に従って、入力電圧検出回路の素子及び接続構成を自由に配置することができる。
【００５２】
定電流回路２４は、第１スイッチ素子Ｑ１、第３抵抗Ｒ３、第２スイッチ素子Ｑ２、第４抵抗Ｒ４及びツェナーダイオードＺＤ１を含んでもよい。
【００５３】
第１スイッチ素子Ｑ１は、第１端、第２端及び制御端を有し、第１端が第１ノードＮ１に結合され、第２端が第２ノードＮ２に結合され、制御端が第３ノードＮ３に結合される。
【００５４】
第３抵抗Ｒ３は、一端が第２ノードＮ２に結合され、他端が接地されている。
【００５５】
第２スイッチ素子Ｑ２は、第１端、第２端及び制御端を有し、第１端が第３ノードＮ３に結合され、第２端が接地され、制御端がプロセッサー２３の出力端ＣＯＮに結合される。
【００５６】
第４抵抗Ｒ４は、一端が直流電圧源Ｖｃｃに結合され、他端が第３ノードＮ３に結合される。
【００５７】
ツェナーダイオードＺＤ１は、カソードが第３ノードＮ３に結合され、アノードが接地されている。
【００５８】
安定した直流電圧源Ｖｃｃは、Ｒ４及びＺＤ１により、Ｑ１のゲートに安定した電圧Ｖｇを生成し、Ｑ１をオンし、Ｒ３を通して流れる電流により電圧Ｖ＿Ｒ３が発生する。Ｖ＿Ｒ３が大きくなりＶｇ−Ｖｔｈ（Ｖｔｈは、Ｑ１のオン閾値電圧である。）より大きい場合には、Ｑ１がオフし、Ｒ３の電流が小さくなり、Ｖ＿Ｒ３が減少する。Ｖ＿Ｒ３がＶｇ−Ｖｔｈより小さい場合には、Ｑ１が再度オンする。最後に、Ｖ＿Ｒ３がＶｇ−Ｖｔｈに等しい場合には、Ｑ１がオンとオフとの中間状態で動作して、Ｑ１を通して流れる電流が定値となるため、定電流回路２４は、調光器の補償電流として、調光器の電流を補償するための定電流Ｉを供給する。ここで、定電流Ｉが以下の式を満たす。
Ｉ＝（Ｖｇ−Ｖｔｈ）／Ｒ３                      （２）
【００５９】
定電流回路２４のオンとオフは、Ｑ２により制御されることができる。Ｑ２がオンする場合には、Ｖｇが小さくなり、Ｑ１がオフし、定電流回路２４は定電流Ｉを出力しなくなり、Ｑ２がオフする場合には、Ｖｇが大きくなり、Ｑ１がオンし、定電流回路２４は定電流Ｉを出力する。
【００６０】
図３に示す実施例において、プロセッサー２３は、入力端ＩＮが入力電圧検出回路２２の出力端ＯＵＴに結合され、出力端ＣＯＮが第２スイッチ素子Ｑ２の制御端に結合され、入力電圧検出回路２２の出力電圧Ｖ２に応じて第２スイッチ素子Ｑ２のオンオフを制御することで、定電流回路２４が当該定電流Ｉを出力するかどうかを制御するように構成される。
【００６１】
本開示の例示的な実施例において、図４に示すように、プロセッサー２３は、検出電圧取得モジュール、条件判断モジュール及び制御信号送信モジュールを含んでもよい。
【００６２】
検出電圧取得モジュールは、所定の周期に従って検出電圧を取得するように構成される。
【００６３】
条件判断モジュールは、検出電圧が所定の条件を満たすかどうかを判断するように構成される。
【００６４】
制御信号送信モジュールは、検出電圧が所定の条件を満たす場合に第１制御信号を送信し、検出電圧が所定の条件を満たさない場合に第２制御信号を送信するように構成され、ここで、第１制御信号と第２制御信号は、制御第２スイッチ素子Ｑ２のオフとオンをそれぞれ制御するために用いられる。
【００６５】
ここで、所定の条件は、検出電圧の変化速度が第１所定値より大きいこと、又は電圧値が第２所定値より小さいことを含む。この時、定電流回路は、第１制御信号に応じて定電流Ｉを出力し、第２制御信号に応じて定電流Ｉの出力を停止する。
【００６６】
プロセッサー２３は、例えば、中央処理装置、シングルチップマイクロコンピュータ又はその他プログラマブル制御装置であってもよく、上記のモジュールは、例えば、ロジックモジュールや物理回路モジュールであってもよく、上記の機能を実現すればよく、本開示はこれを特に限定しない。
【００６７】
本開示の実施例の調光器は、フロント位相調光器（フロント位相角調光器）又はリア位相調光器（リア位相角調光器）であってもよい。以下、このような二種の調光器から、図５〜図９を参照してプロセッサー２３の制御を説明する。
【００６８】
図５は本開示の実施例がフロント位相調光器（フロント位相角調光器）に応用される原理の図である。
【００６９】
図５を参照し、Ｖａｃは、入力端の完全な交流電源周波数の電圧源（都市用電力と理解してもよい。）であり、Ｖ１は、Ｖａｃの、フロント位相調光器を通った電源端の入力電圧、即ち、調光器の出力電圧であり、検出電圧Ｖ２は、調光器の出力電圧Ｖ１が整流モジュール２１により整流され、入力電圧検出モジュール２２により一様な比率で低減されて得られる電圧である。
【００７０】
フロント位相調光器がオフする場合、Ｖ１が０となり、フロント位相調光器がオンする場合、Ｖ１がＶａｃとなる。フロント位相調光器は、オン及びオフの時間を調整して調光信号を照明制御電源に伝送し、照明制御電源は、当該調光信号に応じて出力電流の大きさを調整して調光を実現する。
【００７１】
フロント位相調光器がオフ状態からオン状態になる時に、電圧の急変により大きい電圧変化速度が発生する。照明制御電源に入力容量があるため、オンする瞬間に１つの高いピーク電流が発生し、このピーク電流に振動があり、振動の最小値がフロント位相調光器のオンに要する保持電流より小さい可能性があるため、フロント位相調光器のオフを引き起こす。本開示の実施例は、この時に、フロント位相調光器のオンを維持するために、保持電流に補償電流を加えてフロント位相調光器のオンを維持する。
【００７２】
本開示において、補償電流が定電流回路２４により供給され、プロセッサー２３は、定電流回路２４のオン及びオフを制御して補償電流の出力及び出力の停止を制御する。１つの実施例において、プロセッサー２３は、検出電圧Ｖ２の変化速度ｄ(Ｖ２)／ｄｔが第１所定値Ｖｒｅｆ１より大きいかどうかを判断して、定電流回路２４が所定時間ｔｓｅｔ内で補償電流を出力するように制御する。
【００７３】
第１所定値Ｖｒｅｆ１の値は、例えば、図６に示すように、調光器の出力電圧Ｖ１の正弦波形において３０°角で接線されて取得され、以下の式（３）で示す。
Ｖｒｅｆ１＝Ｖ１＿ｐｋ＊ｔａｎ３０°＊ａ      （３）
ここで、Ｖ１＿ｐｋが調光器の出力電圧のピークであり、ａが入力電圧検出回路２２の検出係数である。
【００７４】
また、Ｖａｃが小さい場合、フロント位相調光器を通して流れる電流も小さくなり、この電流がフロント位相調光器の保持電流より小さい場合、フロント位相調光器のオフを引き起こす。このため、本開示の他の１つの実施例において、プロセッサー２３は、検出電圧Ｖ２が第２所定値Ｖｒｅｆ２より小さいかどうかを判断して定電流回路２４の補償電流の出力を制御する。ここで、第２所定値Ｖｒｅｆ２の値は以下の式を含むが、これに限定されない。
Ｖｒｅｆ２＝Ｖｍｉｎ＊ａ        （４）
ここで、Ｖｍｉｎが最小の入力電圧であり、Ｖ１＿ｐｋの１／４と１／２との間の電圧値であってもよい。
【００７５】
図７に示すように、フロント位相調光器の出力電圧Ｖ１について、オフからオンになる瞬間に、例えば、時刻ｔ１に電流Ｉ＿１に振動が発生し、この時、プロセッサー２３は、電圧Ｖ２を検出して判断を行い、ｄＶ２／ｄｔが第１所定値Ｖｒｅｆ１より大きいと判断し、これによって、所定の時間ｔｓｅｔ内においてＱ２制御信号を出力してＱ２をオンするように制御することで、定電流回路２４が補償電流Ｉ＿２を出力するように制御し、ここで、Ｉ＿２の値は、フロント位相調光器の保持電流の以上になる必要がある。ノード電流法則に従って、フロント位相調光器を通して流れる電流Ｉ＿１２がＩ＿１とＩ＿２との和であり、そこで、オン瞬間ｔ１にフロント位相調光器を通して流れる電流Ｉ＿１２が必ずフロント位相調光器の保持電流より大きいため、フロント位相調光器をオン状態に維持する。また、図７に示すように、電圧Ｖ２が第２所定値Ｖｒｅｆ２より小さいと検出した場合、例えば、時刻ｔ２に電流Ｉ＿１が十分に低くなり、フロント位相調光器のオンを維持することは難しく、この時、Ｑ２をオフするように制御し、定電流回路２４が補償電流Ｉ＿２を出力するように制御し、ここで、Ｉ＿２の値がフロント位相調光器の保持電流の以上になる必要がある。これによって、フロント位相調光器を通して流れる電流Ｉ＿１２が必ずフロント位相調光器の保持電流より大きいため、フロント位相調光器をオン状態に維持する。上記の実施例によって、各種の状態でもフロント位相調光器をオン状態に維持して、フロント位相調光器のオンとオフ時間を照明制御電源に正確に伝送することで、フロント位相調光器がオンしてからオフし光源が点滅していることを有効に回避する。
【００７６】
図８はリア位相調光器（リア位相角調光器）の動作原理の図である。
【００７７】
図８を参照し、リア位相調光器は、通常、トランジスタ等のスイッチ素子を利用して位相角のオンとオフを制御する。リア位相調光器は、コントローラーの動作又はスイッチ素子の動作維持のための蓄電コンデンサを有し、スイッチ素子がオンからオフになってから、内部の容量により電圧Ｖ１が０に有効に放電されず、位相角オフの検出電圧より高くなり、これにより、接線されて位相角を有効に検出することができず、調光信号の誤作動を引き起こす。
【００７８】
図９は調光器制御回路がリア位相調光器に応用される原理の図である。
【００７９】
図９を参照し、本開示の１つの実施例において、プロセッサー２３は、検出電圧Ｖ２が第２所定値Ｖｒｅｆ２より小さいと判断する場合、Ｑ２がオンからオフになるように制御し、定電流回路２４に所定値とする定電流Ｉ＿２が発生し、リア位相調光器に蓄積される容量の電流を放電し、電圧Ｖ１が迅速に０となり、位相角信号の正確な検出を保証する。
【００８０】
図１０は本開示の実施例における調光器制御方法のフローチャートである。
【００８１】
図１０を参照し、調光器保持電流制御方法は、ステップＳ９１〜ステップＳ９３を含む。
【００８２】
ステップＳ９１において、所定の周期に従って調光器の出力電圧を検出する。
【００８３】
ステップＳ９２において、調光器の出力電圧が所定の条件を満たす場合に調光器に保持電流の補償電流を供給する。
【００８４】
ステップＳ９３において、調光器の出力電圧が所定の条件を満たさない場合に補償電流の供給を停止する。
【００８５】
本開示の例示的な実施例において、所定の条件は、調光器の出力電圧の変化速度が第１所定値より大きいことを含む。
【００８６】
本開示の他の例示的な実施例において、所定の条件は、調光器の出力電圧の電圧値が第２所定値より小さいことを含む。
【００８７】
本開示の例示的な実施例において、補償電流が定電流であり、定電流が保持電流より大きい。
【００８８】
調光器制御方法９００は、調光器制御回路２００のプロセッサー２３に用いられる。
【００８９】
図１１は調光器制御方法９００の１つの実施例である。
【００９０】
図１１を参照し、本開示の１つの実施例において、調光器制御方法は、例として、ステップＳ１０１〜ステップＳ１０８を含む。
【００９１】
ステップＳ１０１において、検出電圧を読み取り、Ｖ０とし、
ステップＳ１０２において、所定の時間ｔをあけて検出電圧を再度読み取り、Ｖ１とし、
ステップＳ１０３において、電圧変化速度Ｋ＝（Ｖ１―Ｖ０）／ｔを算出し、
ステップＳ１０４において、Ｋが第１所定値より大きいかどうかを判断し、第１所定値より大きい場合、ステップＳ１０５に進み、そうでない場合、ステップＳ１０６に進み、
ステップＳ１０５において、Ｑ２を所定の時間ｔｓｅｔオフし、所定の時間において補償電流を調光器に供給し、所定の時間ｔｓｅｔを経過してから、Ｑ２をオンし、ステップＳ１０１に戻り、検出電圧を読み取り、ここで、当該補償電流の電流値が調光器の保持電流の以下であり、
ステップＳ１０６において、現在の検出電圧Ｖ１が第２所定値より小さいかどうかを判断し、第２所定値より小さい場合、ステップＳ１０７に進み、Ｑ２をオフし、補償電流を調光器に出力し、次にステップＳ１０１に戻り、そうでない場合、ステップＳ１０８に進み、Ｑ２をオンし、補償電流の出力を停止し、次にステップＳ１０１に戻る。
【００９２】
なお、本開示の他の実施例において、ステップＳ１０４とステップＳ１０６の順番は入れ替えてもよく、ただし、最終的に、Ｋが第１所定値の以下、かつＶ１が第２所定値の以上である場合、ともにステップＳ１０８に進み、Ｑ２がオンするように制御して、定電流回路２４が補償電流の出力を停止するように制御する。
【００９３】
また、以上のステップＳ１０５、ステップＳ１０７又はステップＳ１０８からステップＳ１０１に戻って検出電圧を継続して読み取る動作は、Ｖ１を読み取ってからｔ時間（プロセス判断時間Ｔ＜＜ｔ）に行われてもよい。この時、読み取った検出電圧Ｖ２とＶ１によって電圧変化速度Ｋを計算し、Ｖ２が第１所定値より大きく且つ第２所定値より小さいかどうかを判断する。当業者は、検出順番及び時間条件を自由に設定してもよく、本開示はこれを限定しない。
【００９４】
当業者は、本発明の各形態が、具体的に、完全なハードウェア実施の形態、完全なソフトウェア実施の形態（ファームウェア、マイクロコード等を含む）、又はハードウェアとソフトウェア形態との組み合わせる実施の形態により実現されることを理解すべきであり、ここで、「回路」、「モジュール」又は「システム」と総称される。
【００９５】
なお、上記の図面は、本発明の例示的な実施例における方法に含まれる処理の例示的な説明であるが、限定するものではない。上記の図面に示す処理は、これらの処理の時間順番を示さない又は限定しないことを理解すべきである。また、これらの処理は、例えば、複数のモジュールにおいて同期又は非同期に実行されることを理解すべきである。
【００９６】
当業者は、明細書を参照してここで開示される発明を実施してから、本開示の他の実施の形態を容易に想到する。本願は、本開示のいかなる変形、用途又は適性変化も包含することを意図し、これらの変形、用途又は適性変化は、本開示の通常原理に従い、本開示に開示されない本技術分野での周知の知識又は慣用技術を含む。明細書と実施例は、例示的なものであり、本開示の範囲と思想は、請求項によって示す。
【符号の説明】
【００９７】
２０    調光器
２１    整流回路
２２    入力電圧検出回路
２３    プロセッサー
２４    定電流回路
２００  調光制御回路
２０１  調光電源回路
ＢＤ    ブリッジ整流回路
【図１】
2019169461.tif 000003
【図２】
2019169461.tif 000004
【図３】
2019169461.tif 000005
【図４】
2019169461.tif 000006
【図５】
2019169461.tif 000007
【図６】
2019169461.tif 000008
【図７】
2019169461.tif 000009
【図８】
2019169461.tif 000010
【図９】
2019169461.tif 000011
【図１０】
2019169461.tif 000012
【図１１】
2019169461.tif 000013